(57)【要約】      （修正有）【課題】組立てコストが少ない上、環境汚染防止が可能であり、振動安全機能を有する電動耳掻き組み付け構造を提供する。【解決手段】振動安全機能を有する電動耳掻き組み付け構造は、基体を含む。基体には、電池及びモータが配設される。電池とモータとは、正電極片及び負電極片を介して結線関係にある。電池とモータとの導通はスイッチにより制御される。基体とともに電池及びモータが、手で持つのに適したケーシング２０に嵌合される。ケーシング２０の前端には、軸座３０が設けられ、モータの心軸が、軸座３０へ挿通されて軸座３０に内設されたファンに接続され、モータによりファンが駆動される。ファンの前端面には、偏心バランスウェイト封止部材が接続される。【選択図】図１
0003204386.tif 000002
【実用新案登録請求の範囲】
【請求項１】
基体を含む振動安全機能を有する電動耳掻き組み付け構造であって、
前記基体には、電池及びモータが配設され、前記電池と前記モータとは、正電極片及び負電極片を介して結線関係にあり、前記電池と前記モータとの導通はスイッチにより制御され、
前記基体とともに前記電池及び前記モータが、手で持つのに適したケーシングに嵌合され、前記ケーシングの前端には、軸座が設けられ、前記モータの心軸が、前記軸座へ挿通されて前記軸座に内設されたファンに接続され、前記モータにより前記ファンが駆動され、
前記ファンの前端面には、偏心バランスウェイト封止部材が接続され、前記偏心バランスウェイト封止部材の中心部に延設された管部により、前記軸座に嵌合されたキャップの嵌合管の内端に嵌着され、前記キャップの前記嵌合管内に嵌入された後、前端に適宜な長さを有する耳掻き部材のスリーブが延設され、
前記スイッチには、第１の正極接続ピン、第２の正極接続ピン、第１の負極接続ピン及び第２の負極接続ピンがそれぞれ設けられ、前記モータには、第３の正極接続ピン及び第３の負極接続ピンが設けられ、前記正電極片は、第１の正電極片及び第２の正電極片を含み、前記負電極片は、第１の負電極片及び第２の負電極片を含み、前記第１の正電極片は、一端に前記電池の正極が接続され、他端に挟持ピンが設けられ、前記挟持ピンは、前記スイッチの前記第１の正極接続ピンを挟持するために用い、前記第２の正電極片の両端には、挟持ピンがそれぞれ設けられ、前記挟持ピンにより、前記スイッチの前記第２の正極接続ピン及び前記モータの前記第３の正極接続ピンがそれぞれ挟持され、前記第１の負電極片の一端は、前記電池の負極に接続され、他端に挟持ピンが設けられ、前記挟持ピンにより前記スイッチの前記第１の負極接続ピンが挟持され、前記第２の負電極片の両端には、前記挟持ピンが設けられ、前記スイッチの前記第２の負極接続ピン及び前記モータの前記第３の負極接続ピンがそれぞれ挟持され、
前記電動耳掻き装置の前記正電極片、前記負電極片、前記モータ及び前記スイッチ間の接続構造を速やかに強固に組立てることができるため、組立てコストが下がる、ことを特徴とする振動安全機能を有する電動耳掻き組み付け構造。
【請求項２】
前記第１の正電極片、前記第２の正電極片、前記第１の負電極片及び前記第２の負電極片の前記挟持ピンは、互いに対応するように「く」字状に成形されている、ことを特徴とする請求項１に記載の振動安全機能を有する電動耳掻き組み付け構造。
【請求項３】
前記第１の正電極片、前記第２の正電極片、前記第１の負電極片及び前記第２の負電極片上には、位置決め切欠き溝がそれぞれ形成され、
前記位置決め切欠き溝の片縁両側には、下方へ延びて互いに対応するように「く」字状挟持ピンがそれぞれ延設されている、ことを特徴とする請求項１に記載の振動安全機能を有する電動耳掻き組み付け構造。
【請求項４】
前記第１の正電極片、前記第２の正電極片、前記第１の負電極片及び前記第２の負電極片の挟持ピンは、「く」字状にそれぞれ成形されている、ことを特徴とする請求項１に記載の振動安全機能を有する電動耳掻き組み付け構造。
【請求項５】
前記第１の正電極片、前記第２の正電極片、前記第１の負電極片及び前記第２の負電極片上には、位置決め切欠き溝がそれぞれ形成され、
前記位置決め切欠き溝の片縁両側には、下方へ延びて互いに対応するように「く」字状挟持ピンがそれぞれ延設されている、ことを特徴とする請求項４に記載の振動安全機能を有する電動耳掻き組み付け構造。
【考案の詳細な説明】
【技術分野】
【０００１】
本考案は、振動安全機能を有する電動耳掻き組み付け構造に関するものであり、さらに詳しくは、電動耳掻きに組み付ける正・負電極片、モータ、スイッチ間の接続構造を有する振動安全機能を有する電動耳掻き組み付け構造に関するものである。
【背景技術】
【０００２】
従来の電動耳掻きには、基体を介して電池及びモータが取り付けられている。電池とモータとは、予め設置した正・負電極片により結線関係を得るとともに、スイッチを介して電池とモータとの導通を制御する。基体とともに電池及びモータが、手で持つのに適したケーシングに嵌合される。ケーシングの前端には、軸座が設けられる。軸座の周縁には、複数の通気孔が形成されている。モータの心軸は、軸座へ挿通されて軸座に内設したファンと接続され、ファンの前端面には偏心バランスウェイト封止部材が接続され、モータにより駆動されたファンにより排気を行うとともに、偏心バランスウェイト封止部材に微小な揺動振動効果が発生する。偏心バランスウェイト封止部材の中心に延設された管部を介し、軸座に嵌合したキャップの嵌合管の内端に嵌着され、キャップの嵌合管内に挿入した後、接続した前端に適宜な長さの耳掻き部材のスリーブが延設される。しかし、電池、モータ、正・負電極片、スイッチ間の接続には、コンタクト方式が採用されているため、上述した部材同士が使用中に発生する振動により外れて接触不良が発生する虞があり、ユーザが電動耳掻きを使用している最中に電気遮断が発生して使用できなくなることがあった。
【考案の概要】
【考案が解決しようとする課題】
【０００３】
従って、本考案の主な課題は、使用中に振動しても電気遮断が発生することがなく、正電極片、負電極片、モータ及びスイッチを速やかに組み付けることができ、振動安全機能を有する電動耳掻き組み付け構造を提供することにある。
【課題を解決するための手段】
【０００４】
そこで、本考案者は、前記課題を解決するため鋭意検討を重ねた結果、各挟持ピンにより接続ピンを強固に挟持することにより、前記課題を解決できることに着目し、かかる知見に基いて、本考案に想到するに至った。
【０００５】
すなわち、本考案によれば、各挟持ピンにより接続ピンを強固に挟持することにより、電動耳掻き装置を使用中に振動しても各接続ピンが挟持ピンから外れることがないため、電動耳掻き装置を使用中に振動しても電気遮断が発生することがない上、メーカーは挟持方式により正電極片、負電極片、モータ及びスイッチを速やかに組み付けることができるため、組立てコストが少なく、正電極片及び負電極片を半田付けする必要がないため、半田に含まれる鉛が健康に害を及ぼしたり環境を汚染したりすることを防ぐことができる。
【０００６】
かくして、本考案の要旨は、次の通りである。
（１）基体を含む振動安全機能を有する電動耳掻き組み付け構造であって、
前記基体には、電池及びモータが配設され、前記電池と前記モータとは、正電極片及び負電極片を介して結線関係にあり、前記電池と前記モータとの導通はスイッチにより制御され、
前記基体とともに前記電池及び前記モータが、手で持つのに適したケーシングに嵌合され、前記ケーシングの前端には、軸座が設けられ、前記モータの心軸が、前記軸座へ挿通されて前記軸座に内設されたファンに接続され、前記モータにより前記ファンが駆動され、
前記ファンの前端面には、偏心バランスウェイト封止部材が接続され、前記偏心バランスウェイト封止部材の中心部に延設された管部により、前記軸座に嵌合されたキャップの嵌合管の内端に嵌着され、前記キャップの前記嵌合管内に嵌入された後、前端に適宜な長さを有する耳掻き部材のス
リーブが延設され、
前記スイッチには、第１の正極接続ピン、第２の正極接続ピン、第１の負極接続ピン及び第２の負極接続ピンがそれぞれ設けられ、前記モータには、第３の正極接続ピン及び第３の負極接続ピンが設けられ、前記正電極片は、第１の正電極片及び第２の正電極片を含み、前記負電極片は、第１の負電極片及び第２の負電極片を含み、前記第１の正電極片は、一端に前記電池の正極が接続され、他端に挟持ピンが設けられ、前記挟持ピンは、前記スイッチの前記第１の正極接続ピンを挟持するために用い、前記第２の正電極片の両端には、挟持ピンがそれぞれ設けられ、前記挟持ピンにより、前記スイッチの前記第２の正極接続ピン及び前記モータの前記第３の正極接続ピンがそれぞれ挟持され、前記第１の負電極片の一端は、前記電池の負極に接続され、他端に挟持ピンが設けられ、前記挟持ピンにより前記スイッチの前記第１の負極接続ピンが挟持され、前記第２の負電極片の両端には、前記挟持ピンが設けられ、前記スイッチの前記第２の負極接続ピン及び前記モータの前記第３の負極接続ピンがそれぞれ挟持され、
前記電動耳掻き装置の前記正電極片、前記負電極片、前記モータ及び前記スイッチ間の接続構造を速やかに強固に組立てることができるため、組立てコストが下がる、ことを特徴とする振動安全機能を有する電動耳掻き組み付け構造。
【０００７】
（２）前記第１の正電極片、前記第２の正電極片、前記第１の負電極片及び前記第２の負電極片の前記挟持ピンは、互いに対応するように「く」字状に成形されている、ことを特徴とする前記（１）に記載の振動安全機能を有する電動耳掻き組み付け構造。
【０００８】
（３）前記第１の正電極片、前記第２の正電極片、前記第１の負電極片及び前記第２の負電極片上には、位置決め切欠き溝がそれぞれ形成され、
前記位置決め切欠き溝の片縁両側には、下方へ延びて互いに対応するように「く」字状挟持ピンがそれぞれ延設されている、ことを特徴とする前記（１）に記載の振動安全機能を有する電動耳掻き組み付け構造。
【０００９】
（４）前記第１の正電極片、前記第２の正電極片、前記第１の負電極片及び前記第２の負電極片の挟持ピンは、「く」字状にそれぞれ成形されている、ことを特徴とする前記（１）に記載の振動安全機能を有する電動耳掻き組み付け構造。
【００１０】
（５）前記第１の正電極片、前記第２の正電極片、前記第１の負電極片及び前記第２の負電極片上には、位置決め切欠き溝がそれぞれ形成され、
前記位置決め切欠き溝の片縁両側には、下方へ延びて互いに対応するように「く」字状挟持ピンがそれぞれ延設されている、ことを特徴とする前記（４）に記載の振動安全機能を有する電動耳掻き組み付け構造。
【考案の効果】
【００１１】
本考案は前記のとおりの構成からなり、電動耳掻き装置を使用するときに振動が発生しても接続ピンが挟持ピンから外れることが防止されるため電気遮断が生じることがない。
【図面の簡単な説明】
【００１２】
【図１】図１は、本考案の一実施形態に係る振動安全機能を有する電動耳掻き組み付け構造を示す斜視図である。
【図２】図２は、本考案の一実施形態に係る振動安全機能を有する電動耳掻き組み付け構造を示す分解斜視図である。
【図３】図３は、本考案の一実施形態に係る振動安全機能を有する電動耳掻き組み付け構造の正電極片、負電極片、モータ及びスイッチを示す部分拡大図である。
【図４】図４は、図３の分解斜視図である。
【図５】図５は、本考案の一実施形態に係る振動安全機能を有する電動耳掻き組み付け構造を示す側面断面図（１）である。
【図６】図６は、本考案の一実施形態に係る振動安全機能を有する電動耳掻き組み付け構造を示す側面断面図（２）である。
【図７】図７は、本考案の他の実施形態に係る振動安全機能を有する電動耳掻き組み付け構造の正電極片、負電極片、モータ及びスイッチを示す部分拡大図である。
【図８】図８は、図７の分解斜視図である。
【図９】図９は、本考案の他の実施形態に係る振動安全機能を有する電動耳掻き組み付け構造を示す側面断面図（１）である。
【図１０】図１０は、本考案の他の実施形態に係る振動安全機能を有する電動耳掻き組み付け構造を示す側面断面図（２）である。
【考案を実施するための形態】
【００１３】
図１〜図６を参照する。図１〜図６に示すように、本考案の一実施形態に係る振動安全機能を有する電動耳掻き組み付け構造は、少なくとも基体１０、ケーシング２０、軸座３０、ファン４０、偏心バランスウェイト封止部材５０、キャップ６０、フィルタカバー７０及びスリーブ８０から構成されてなる。基体１０には、電池１３及びモータ１４が設置され得るように、電池収容槽１１、スイッチチャンバ１２２及びモータチャンバ１２１が互いに離間するように形成されている。電池１３とモータ１４とは、予め設けられた正電極片１５、負電極片１５’を介して結線関係にあり、スイッチ１６により電池１３とモータ１４との導通を制御する。スイッチ１６には、第１の正極接続ピン１６１、第２の正極接続ピン１６２、第１の負極接続ピン１６３及び第２の負極接続ピン１６４がそれぞれ設けられ、モータ１４には、第３の正極接続ピン１４１及び第３の負極接続ピン１４２が設けられる。正電極片１５は、第１の正電極片１５１及び第２の正電極片１５２を含む。負電極片１５’は、第１の負電極片１５１’及び第２の負電極片１５２’を含む。第１の正電極片１５１は、一端に電池１３の正極が接続され、他端に挟持ピン１５１１が設けられる。挟持ピン１５１１は、スイッチ１６の第１の正極接続ピン１６１を挟持するために用いる。第２の正電極片１５２の両端には、挟持ピン１５２１がそれぞれ設けられ、スイッチ１６の第２の正極接続ピン１６２及びモータ１４の第３の正極接続ピン１４１をそれぞれ挟持する。第１の負電極片１５１’の一端は、電池１３の負極に接続され、他端に挟持ピン１５１１’が接続される。挟持ピン１５１１’によりスイッチ１６の第１の負極接続ピン１６３を挟持する。第２の負電極片１５２’の両端には、挟持ピン１５２１’が設けられ、スイッチ１６の第２の負極接続ピン１６４及びモータ１４の第３の負極接続ピン１４２を挟持する。
【００１４】
また、カバー１７により基体１０前端のモータチャンバ１２１及びスイッチチャンバ１２２を覆い、モータ１４が外部から隔絶され、モータ１４が水蒸気に曝されることを防ぐ上、カバー１７上に収容切欠き溝１７２が形成される。スイッチ１６がスイッチチャンバ１２２に挿設されると、収容切欠き溝１７２がスイッチ１６に位置決めされ、その上端が外部に露出される。モータ１４の心軸１４３は、基体１０のモータチャンバ１２１の前端軸孔から外方へ延びている。基体１０のモータチャンバ１２１とカバー１７の外径の前セクションとには、階段状縁部１２３，１７１がそれぞれ形成され、基体１０の前端は、軸座３０に嵌合される。ケーシング２０は、手で持つのに適したケーシングであり、その内径は基体１０に相応するサイズであるが、その深さは基体１０の長さより僅かに短く、基体１０と、その後セクションの電池１３とをケーシング２０内に嵌合させる。軸座３０の後端には、嵌合軸部３１が延設されている。嵌合軸部３１上には、弾性押圧部３５が設けられている。モータ１４の心軸１４３は、軸座３０と嵌合軸部３１との間に形成された貫通孔３３を介して軸座３０内に挿入され、軸座３０内に設置したファン４０と接続される。軸座３０の周縁から後端面へ至る部位に穿設された複数の通気孔３４によりファン４０の空気流を外方へ案内する。ファン４０は、軸座３０内に設置されてモータ１４の心軸１４３と連結されて伝動関係を得る。ファン４０の羽根片４１は、タービン方式により好ましい排気効果を得る。羽根片４１の前端面には、空気流を集中させる導流効果を得るために、偏心バランスウェイト封止部材５０が挿設されている。偏心バランスウェイト封止部材５０の中心部には、管部５２が延設され、管部５２を介して軸座３０に嵌着されたキャップ６０の嵌合管６１内端に嵌合される。偏心バランスウェイト封止部材５０の一側に配設された厚めのバランスウェイトにより、偏心バランスウェイト封止部材５０の重量がアンバランスとなるため、モータ１４によりファン４０が駆動されるときに揺動振動効果を得ることができる。
【００１５】
キャップ６０の内径蓋は、軸座３０の外径に相応し、キャップ６０により軸座３０を覆って内部のファン４０と偏心バランスウェイト封止部材５０とが封止され、キャップ６０の前端には、嵌合管６１が延設され、前端に耳掻き部８１が延設されたスリーブ８０が嵌合される。嵌合管６１の内部には、フィルタカバー７０が内嵌され、前述の偏心バランスウェイト封止部材５０の中心管部５２は、キャップ６０の嵌合管６１の内端に嵌合される。フィルタカバー７０は、その径がキャップ６０の嵌合管６１に略相応し、その前端には拡径リング部７１が設けられ、フィルタカバー７０が嵌合管６１に内嵌されると、拡径リング部７１が位置決めされ、フィルタカバー７０を容易に取り出すことができ、フィルタカバー７０の後端面に形成された細い間隙孔７２に空気流が流通すると耳垢を濾過することができる。スリーブ８０は、その内径がキャップ６０の嵌合管６１の外径に相応し、キャップ６０に嵌合された嵌合管６１を得て、スリーブ８０の前端が延びて適宜な長さを有する耳掻き部８１が設けられ、耳掻き部８１の管径は、耳道の径よりも小さく、複数の耳掻き部８１は、柔軟性を有する材料からなるとともに、その前端開口にはフック部８２が延設され、スリーブ８０と耳掻き部８１との接続界面に設けられた径が大きめの当止プレート面８３により耳掻き部８１が耳道に深く挿入されることを防ぐことができる上、振動させて吸取る機能を備えた電動耳掻き構造が構成される。
【００１６】
第１の正電極片１５１、第２の正電極片１５２、第１の負電極片１５１’及び第２の負電極片１５２’上には、位置決め切欠き溝１５３がそれぞれ形成され、その片縁両側には下方へ延びて互いに対応した「く」字状挟持ピン１５１１、挟持ピン１５２１、挟持ピン１５１１’及び挟持ピン１５２１’が延設されている。
【００１７】
図７〜図１０を参照する。図７〜図１０に示すように、第１の正電極片１５１、第２の正電極片１５２、第１の負電極片１５１’及び第２の負電極片１５２’上には位置決め切欠き溝１５３がそれぞれ形成され、その片縁の一側には下方へ延びた「く」字状挟持ピン１５１１、挟持ピン１５２１、挟持ピン１５１１’及び挟持ピン１５２１’が設けられている。
【００１８】
上述した構造の組立てについて以下詳しく説明する。本考案は、正電極片１５、負電極片１５’、モータ１４、スイッチ１６間の接続と組立て構造の関係が重要なポイントであり、その残部の構成要素及び使用方式については、本出願人が既に出願している電動耳掻き装置と同じであるため、ここでは述べない。
【００１９】
図１〜図６を参照する。図１〜図６に示すように、まず、第１の正電極片１５１を基体１０の電池収容槽１１内に設置し、挟持ピン１５１１をスイッチチャンバ１２２内に挿入してから第１の負電極片１５１’を電池収容槽１１とスイッチチャンバ１２２との間に掛け渡し、挟持ピン１５１１’をスイッチチャンバ１２２内に挿通させてから、第２の正電極片１５２の挟持ピン１５２１及び第２の負電極片１５２’の挟持ピン１５２１’をモータ１４の第３の正極接続ピン１４１及び第３の負極接続ピン１４２をそれぞれ挟持し、モータ１４をモータチャンバ１２１内に挿設し、挟持ピン１５２１及び挟持ピン１５２１’をスイッチチャンバ１２２内に挿入し、最終的にスイッチ１６の下端に設けられた第１の正極接続ピン１６１、第２の正極接続ピン１６２、第１の負極接続ピン１６３及び第２の負極接続ピン１６４が位置決め切欠き溝１５３に挿通された後、挟持ピン１５１１、挟持ピン１５２１、挟持ピン１５１１’及び挟持ピン１５２１’により挟持され、本考案の組立てが完成する。
【００２０】
上述したことから分かるように、本考案の振動安全機能を有する電動耳掻き組み付け構造は、以下（１）〜（３）の効果を有する。
（１）挟持ピン１５１１、挟持ピン１５２１、挟持ピン１５１１’及び挟持ピン１５２１’により第１の正極接続ピン１６１、第２の正極接続ピン１６２、第１の負極接続ピン１６３及び第２の負極接続ピン１６４が挟持されているため、電動耳掻き装置を使用するときに振動が発生しても、接続ピンが挟持ピンから外れることを防ぐことができるため、電気遮断が発生することがない。
（２）生産者は、正電極片１５及び負電極片１５’を半田付けせずに、挟持方式で正電極片１５、負電極片１５’、モータ１４及びスイッチ１６を速やかに強固に組立てることができるため、組立てコストが少ない。
（３）正電極片１５及び負電極片１５’を半田付けする必要がないため、半田に含まれる鉛により健康に悪影響を及ぼしたり環境を汚染したりすることを防ぐことができる。
【符号の説明】
【００２１】
１０  基体
１１  電池収容槽
１３  電池
１４  モータ
１５  正電極片
１５’  負電極片
１６  スイッチ
１７  カバー
２０  ケーシング
３０  軸座
３１  嵌合軸部
３３  貫通孔
３４  通気孔
３５  弾性押圧部
４０  ファン
４１  羽根片
５０  偏心バランスウェイト封止部材
５２  管部
６０  キャップ
６１  嵌合管
７０  フィルタカバー
７１  拡径リング部
７２  間隙孔
８０  スリーブ
８１  耳掻き部
８２  フック部
８３  当止プレート面
１２１  モータチャンバ
１２２  スイッチチャンバ
１２３  階段状縁部
１４１  第３の正極接続ピン
１４２  第３の負極接続ピン
１４３  心軸
１５１  第１の正電極片
１５１’  第１の負電極片
１５２  第２の正電極片
１５２’  第２の負電極片
１５３  位置決め切欠き溝
１６１  第１の正極接続ピン
１６２  第２の正極接続ピン
１６３  第１の負極接続ピン
１６４  第２の負極接続ピン
１７１  階段状縁部
１７２  収容切欠き溝
１５１１  挟持ピン
１５１１’  挟持ピン
１５２１  挟持ピン
１５２１’  挟持ピン
【図１】
0003204386.tif 000003
【図２】
0003204386.tif 000004
【図３】
0003204386.tif 000005
【図４】
0003204386.tif 000006
【図５】
0003204386.tif 000007
【図６】
0003204386.tif 000008
【図７】
0003204386.tif 000009
【図８】
0003204386.tif 000010
【図９】
0003204386.tif 000011
【図１０】
0003204386.tif 000012